(57)【要約】      （修正有）【課題】装着時に尿取りパッドの幅方向の側部が内側に折られることを抑制し、漏れの発生及び装着感の悪化を防ぐことができる尿取りパッドの包装体を提供する。【解決手段】吸収性物品の包装体（１）は、尿取りパッド（１０）と、同パッドよりも非肌面側に配置された包装シート（８０）と、剥離シート（７０）と、を備える。同パッドが展開状態において、前後方向における同パッドの包装体の一端側（１Ｘ）には、包装シートがサイドシート接合部（７６）よりも前後方向の外側に延出したシート延出領域（８１）が設けられており、他端側（１Ｙ）には、同パッドが包装シートよりも前後方向の外側に延出したパッド延出領域（１８）が設けられている。同パッドの包装体の一端側において、サイド粘着部（２２）の少なくとも一部は、防漏ギャザーの収縮部（１３）よりも前後方向の外側、かつセンター粘着部（２１）よりも前後方向の外側に配置されている。【選択図】図２
2020179025.tif 000002
【特許請求の範囲】
【請求項１】
互いに直交する前後方向及び幅方向を有する尿取りパッドと、前記尿取りパッドよりも非肌面側に配置された包装シートと、前記尿取りパッドと前記包装シートの間に配置された剥離シートと、を備え、
少なくとも前記尿取りパッドが前記幅方向に沿った幅折り線を基点に折り畳まれ、前記尿取りパッドが前記包装シートによって個別に包装される尿取りパッドの包装体において、
前記尿取りパッドは、
吸収コアと、
前記吸収コアよりも肌面側において前記吸収コアを覆うセンターシートと、
前記センターシートよりも肌面側に配置され、前記前後方向に収縮する収縮部を有する起立性の防漏ギャザーと、
前記吸収コアよりも非肌面側に配置された裏面シートと、
前記裏面シートよりも非肌面側に配置され、前記尿取りパッドの使用時に着用物品に接合される粘着部と、を有し、
前記粘着部は、前記尿取りパッドの前記幅方向の中央に配置されたセンター粘着部と、前記センター粘着部よりも前記幅方向の外側に配置されたサイド粘着部と、を有し、
前記剥離シートは、前記尿取りパッドの使用前に前記サイド粘着部を覆っており、
前記包装シートは、シート接合部を介して前記剥離シートに接合されており、
前記尿取りパッドが前記幅折り線を基点に折り畳まれていない展開状態において、前記前後方向における前記尿取りパッドの包装体の一端側には、前記包装シートが前記シート接合部よりも前記前後方向の外側に延出したシート延出領域が設けられ、
前記展開状態において、前記前後方向における前記尿取りパッドの包装体の他端側には、前記尿取りパッドが前記包装シートよりも前記前後方向の外側に延出したパッド延出領域が設けられており、
前記尿取りパッドの包装体の前記一端側において、前記サイド粘着部の少なくとも一部は、前記収縮部よりも前記前後方向の外側、かつ前記センター粘着部よりも前記前後方向の外側に配置されている、尿取りパッドの包装体。
【請求項２】
前記シート延出領域の少なくとも一部は、前記展開状態において、前記尿取りパッドよりも前記前後方向の外側に延出している、請求項１に記載の尿取りパッドの包装体。
【請求項３】
前記パッド延出領域の前記前後方向の外端部は、前記幅折り線を基点に折り畳まれた状態で前記非肌面側に折り返された折り返し領域を有する、請求項１又は請求項２に記載の尿取りパッドの包装体。
【請求項４】
前記尿取りパッドの包装体の前記一端側において、前記サイド粘着部の少なくとも一部は、前記吸収コアよりも前記前後方向の外側に配置されている、請求項１から請求項３のいずれか１項に記載の尿取りパッドの包装体。
【請求項５】
前記尿取りパッドの包装体の前記一端側において、前記シート接合部の少なくとも一部は、前記収縮部よりも前記前後方向の外側に配置されている、請求項１から請求項４のいずれか１項に記載の尿取りパッドの包装体。
【請求項６】
前記尿取りパッドの包装体の前記一端側において、前記シート接合部の少なくとも一部は、前記サイド粘着部よりも前記前後方向の外側に配置されている、請求項５に記載の尿取りパッドの包装体。
【請求項７】
前記尿取りパッドの包装体の前記一端側において、前記シート接合部の少なくとも一部は、前記包装シートの前記前後方向の中心に対して前後方向の外側に偏倚している、請求項５又は請求項６に記載の尿取りパッドの包装体。
【請求項８】
前記尿取りパッドの包装体の前記一端側において、前記サイド粘着部と前記尿取りパッドの外端縁との前後方向の距離は、前記サイド粘着部と前記尿取りパッドの外側縁との幅方向の距離よりも短い、請求項１から請求項７のいずれか１項に記載の尿取りパッドの包装体。
【請求項９】
前記尿取りパッドの前記幅方向の寸法は、前記尿取りパッドの包装体の前記一端側から前記尿取りパッドの包装体の前記他端側に向かって漸減している、請求項１から請求項８のいずれか１項に記載の尿取りパッドの包装体。
【請求項１０】
前記収縮部の少なくとも一部は、前記吸収コアよりも前記幅方向の外側に配置されている、請求項１から請求項９のいずれか１項に記載の尿取りパッドの包装体。
【請求項１１】
前記収縮部と重なる領域及び前記収縮部から前後方向に延びる領域の少なくとも一方には、前記サイド粘着部が配置されている、請求項１から請求項１０のいずれか１項に記載の尿取りパッドの包装体。
【発明の詳細な説明】
【技術分野】
【０００１】
本発明は、尿取りパッドとそれを包装する包装シートとを含む尿取りパッドの包装体に関する。
【背景技術】
【０００２】
特許文献１には、互いに直交する前後方向及び幅方向を有する尿取りパッドと、尿取りパッドよりも非肌面側に配置された包装シートと、尿取りパッドと包装シートの間に配置された剥離シートと、を備える尿取りパッドの包装体が開示されている。剥離シートは、尿取りパッドを着用物品に接合するための粘着部を覆っており、シート接合部を介して包装シートに接合されている。特許文献１の図４に示すように、包装体は、少なくとも幅方向に沿った折り線を基点に折り畳まれた折り畳み状態において、尿取りパッドが包装シートによって個別に包装されている。
【０００３】
使用者は、尿取りパッドを使用する際は、包装シートによって個別に包装された状態から展開状態に展開し、尿取りパッドを包装シート及び剥離シートから取り外す。このとき、使用者は、一般的に、片方の手で包装シートを把持すると共に他方の手で尿取りパッドを把持した状態で、包装シート及び尿取りパッドを展開しつつ包装シートから尿取りパッドを取り外すことがある。このような操作によれば、１回の操作によって、包装体の展開操作と、尿取りパッドを取り外す操作と、を行うことができる。
【先行技術文献】
【特許文献】
【０００４】
【特許文献１】特開２０１９−４２０７０号公報
【発明の概要】
【０００５】
また、使用前に尿取りパッドが幅方向に沿った折り線を基点に折り畳まれているため、尿取りパッドに折り癖が形成されている。包装シートと尿取りパッドのそれぞれを把持した状態で包装体を展開する際に、一方の手で直接尿取りパッドを把持した領域では、尿取りパッドに力がかかりやすく、折り癖に対向して展開し易い。しかし、他方の手で包装シートを把持した領域では、直接尿取りパッドに力をかけることができず、包装シートを介して尿取りパッドに力がかかる。そのため、折り癖に対向して尿取りパッドを平らな状態に展開することができないことがある。
【０００６】
また、使用者は、包装体の全域に亘って展開するために、一般的に包装体の幅方向の中央付近を把持する。そのため、特に、尿取りパッドの幅方向の側部において、尿取りパッドを十分に平らな状態に展開することができず、尿取りパッドの幅方向の側部が内側に折られた状態で着用物品に装着されることがあった。これにより、尿取りパッドによって身体を適切に覆うことができずに漏れが発生したり、及び尿取りパッドが内側に折られた状態で着用されることによって装着感が悪化したりする不具合があった。
【０００７】
よって、装着時に尿取りパッドの幅方向の側部が内側に折られることを抑制し、漏れの発生及び装着感の悪化を防ぐことができる尿取りパッドの包装体が望まれる。
【課題を解決するための手段】
【０００８】
一態様に係る尿取りパッドの包装体は、互いに直交する前後方向及び幅方向を有する尿取りパッドと、前記尿取りパッドよりも非肌面側に配置された包装シートと、前記尿取りパッドと前記包装シートの間に配置された剥離シートと、を備え、少なくとも前記尿取りパッドが前記幅方向に沿った幅折り線を基点に折り畳まれ、前記尿取りパッドが前記包装シートによって個別に包装される。前記尿取りパッドは、吸収コアと、前記吸収コアよりも肌面側において前記吸収コアを覆うセンターシートと、前記センターシートよりも肌面側に配置され、前記前後方向に収縮する収縮部を有する起立性の防漏ギャザーと、前記吸収コアよりも非肌面側に配置された裏面シートと、前記裏面シートよりも非肌面側に配置され、前記尿取りパッドの使用時に着用物品に接合される粘着部と、を有する。前記粘着部は、前記尿取りパッドの前記幅方向の中央に配置されたセンター粘着部と、前記センター粘着部よりも前記幅方向の外側に配置されたサイド粘着部と、を有する。前記剥離シートは、前記尿取りパッドの使用前に前記サイド粘着部を覆っている。前記包装シートは、シート接合部を介して前記剥離シートに接合されている。前記尿取りパッドが前記幅折り線を基点に折り畳まれていない展開状態において、前記前後方向における前記尿取りパッドの包装体の一端側には、前記包装シートが前記シート接合部よりも前記前後方向の外側に延出したシート延出領域が設けられている。前記展開状態において、前記前後方向における前記尿取りパッドの包装体の他端側には、前記尿取りパッドが前記包装シートよりも前記前後方向の外側に延出したパッド延出領域が設けられている。前記尿取りパッドの包装体の前記一端側において、前記サイド粘着部の少なくとも一部は、前記収縮部よりも前記前後方向の外側、かつ前記センター粘着部よりも前記前後方向の外側に配置されている。
【図面の簡単な説明】
【０００９】
【図１】実施形態に係る尿取りパッドの包装体を肌面側から見た展開平面図である。
【図２】実施形態に係る尿取りパッドの包装体を非肌面側から見た展開平面図である。
【図３】実施形態に係る尿取りパッドを非肌面側から見た展開平面図である。
【図４】図１に示すＡ−Ａ線に沿った断面図である。
【図５】図１に示すＢ−Ｂ線に沿った断面図である。
【図６】実施形態に係る尿取りパッドの包装体の折り畳み態様を説明するための図である。
【図７】実施形態に係る尿取りパッドの包装体において尿取りパッドの取り外し態様を説明するための図である。
【発明を実施するための形態】
【００１０】
（１）実施形態の概要
本明細書及び添付図面の記載により、少なくとも以下の事項が明らかとなる。
一態様に係る尿取りパッドの包装体は、互いに直交する前後方向及び幅方向を有する尿取りパッドと、前記尿取りパッドよりも非肌面側に配置された包装シートと、前記尿取りパッドと前記包装シートの間に配置された剥離シートと、を備え、少なくとも前記尿取りパッドが前記幅方向に沿った幅折り線を基点に折り畳まれ、前記尿取りパッドが前記包装シートによって個別に包装される。前記尿取りパッドは、吸収コアと、前記吸収コアよりも肌面側において前記吸収コアを覆うセンターシートと、前記センターシートよりも肌面側に配置され、前記前後方向に収縮する収縮部を有する起立性の防漏ギャザーと、前記吸収コアよりも非肌面側に配置された裏面シートと、前記裏面シートよりも非肌面側に配置され、前記尿取りパッドの使用時に着用物品に接合される粘着部と、を有する。前記粘着部は、前記尿取りパッドの前記幅方向の中央に配置されたセンター粘着部と、前記センター粘着部よりも前記幅方向の外側に配置されたサイド粘着部と、を有する。前記剥離シートは、前記尿取りパッドの使用前に前記サイド粘着部を覆っている。前記包装シートは、シート接合部を介して前記剥離シートに接合されている。前記尿取りパッドが前記幅折り線を基点に折り畳まれていない展開状態において、前記前後方向における前記尿取りパッドの包装体の一端側には、前記包装シートが前記シート接合部よりも前記前後方向の外側に延出したシート延出領域が設けられている。前記展開状態において、前記前後方向における前記尿取りパッドの包装体の他端側には、前記尿取りパッドが前記包装シートよりも前記前後方向の外側に延出したパッド延出領域が設けられている。前記尿取りパッドの包装体の前記一端側において、前記サイド粘着部の少なくとも一部は、前記収縮部よりも前記前後方向の外側、かつ前記センター粘着部よりも前記前後方向の外側に配置されている。
【００１１】
本態様によれば、装着時に尿取りパッドの幅方向の側部が内側に折られることに起因して、尿取りパッドが着用物品から剥がれる不具合を抑制するとともに、着用時に尿取りパッドが内側に折られることによる装着感の悪化を防ぐことができる。
【００１２】
好ましい一態様によれば、前記シート延出領域の少なくとも一部は、前記展開状態において、前記尿取りパッドよりも前記前後方向の外側に延出してよい。
【００１３】
本態様によれば、使用者が、尿取りパッドよりも延出したシート延出領域を把持し易い。包装体の一端側において、包装シートと尿取りパッドの両方を把持せずに、包装シートのみを把持しやすくなり、１回の操作によって、包装体の展開操作と尿取りパッドを取り外す操作とをより行い易くなる。
【００１４】
好ましい一態様によれば、前記パッド延出領域の前記前後方向の外端部は、前記幅折り線を基点に折り畳まれた状態で前記非肌面側に折り返された折り返し領域を有してよい。
【００１５】
本態様によれば、パッド延出領域の折り返し領域が折り癖によって非肌面側に立ち上がり易くなる。よって、尿取りパッドを取り外す際に、パッド延出領域の前後方向の外端部に位置する折り返し領域を使用者が把持することができる。使用者が把持する領域を尿取りパッドの前後方向の外端部に設けることができ、尿取りパッド全体を前後方向により展開し易くなる。
【００１６】
好ましい一態様によれば、前記尿取りパッドの包装体の前記一端側において、前記サイド粘着部の少なくとも一部は、前記吸収コアよりも前記前後方向の外側に配置されてよい。
【００１７】
本態様によれば、サイド粘着部の剛性によって尿取りパッドが折れ曲がり難くなると共に、サイド粘着部を介して着用物品に接合されることによって尿取りパッド折れ曲がり難くなる。
【００１８】
好ましい一態様によれば、尿取りパッドの包装体の前記一端側において、前記シート接合部の少なくとも一部は、前記収縮部よりも前記前後方向の外側に配置されてよい。
【００１９】
本態様によれば、尿取りパッドの包装体の一端側では、シート接合部が収縮部よりも前後方向の外側に位置しており、収縮部の収縮が影響し難い領域において剥離シートを介して尿取りパッドを引っ張ることができる。よって、尿取りパッドの幅方向の側部近傍まで展開した状態で着用物品に装着し易くなる。
【００２０】
好ましい一態様によれば、前記尿取りパッドの包装体の前記一端側において、前記シート接合部の少なくとも一部は、前記サイド粘着部よりも前記前後方向の外側に配置されてよい。
【００２１】
本態様によれば、シート接合部がサイド粘着部よりも前後方向の外側に位置するため、使用者が包装シートを前後方向の外側に引っ張った際に、尿取りパッドに力がかかり易くなり、尿取りパッドをより前後方向の外側に引っ張りやすくなる。
【００２２】
好ましい一態様によれば、尿取りパッドの包装体の前記一端側において、前記シート接合部の少なくとも一部は、前記包装シートの前記前後方向の中心に対して前後方向の外側に偏倚してよい。
【００２３】
本態様によれば、包装シートの前記前後方向の中心よりも外側において、包装シートを介して剥離シートを引っ張ることができる。尿取りパッドの前後方向のより端部において、尿取りパッドを展開して平らにすることができ、尿取りパッドをより平らの状態で着用物品に装着し易くなる。
【００２４】
好ましい一態様によれば、前記尿取りパッドの包装体の前記一端側において、前記サイド粘着部と前記尿取りパッドの外端縁との前後方向の距離は、前記サイド粘着部と前記尿取りパッドの外側縁との幅方向の距離よりも短くてよい。
【００２５】
本態様によれば、サイド粘着部と尿取りパッドの外端縁との前後方向の距離が比較的短いため、展開時に尿取りパッドの外端縁まで平らな状態にし易くなる。よって、尿取りパッドの外端縁において尿取りパッドが内側に折れる不具合を抑制できる。
【００２６】
好ましい一態様によれば、前記尿取りパッドの前記幅方向の寸法は、前記尿取りパッドの包装体の前記一端側から前記尿取りパッドの包装体の前記他端側に向かって漸減してよい。
【００２７】
本態様によれば、尿取りパッドの包装体の一端側において、尿取りパッドの幅方向の側部近傍まで展開し易く、尿取りパッドの包装体の一端側の幅方向の長さが長い構成であっても、尿取りパッドの幅方向の側部が内側に折られることによる不具合を抑制できる。
【００２８】
好ましい一態様によれば、前記収縮部の少なくとも一部は、前記吸収コアよりも前記幅方向の外側に配置されてよい。・
【００２９】
本態様によれば、尿取りパッドの包装体の一端側において、尿取りパッドの幅方向の側部近傍まで展開し易く、吸収コアよりも幅方向の外側に収縮部が配置された構成であっても、尿取りパッドの幅方向の側部が内側に折られることによる不具合を抑制できる。
【００３０】
好ましい一態様によれば、前記収縮部と重なる領域及び前記収縮部から前後方向に延びる領域の少なくとも一方には、前記サイド粘着部が配置されてよい。
【００３１】
本態様によれば、収縮部と重なる領域及び前記収縮部から前後方向に延びる領域の少なくとも一方にサイド粘着部が配置されていることにより、着用時にサイド粘着部２２を介して着用物品に接合されることによって尿取りパッド１０の幅方向の側部が内側に折れ曲がり難くなる。
【００３２】
（２）尿取りパッドの実施形態
以下、図面を参照して、実施形態に係る尿取りパッドの包装体について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３３】
図１は、本実施形態に係る尿取りパッドの包装体１を肌面側Ｔ１から見た展開平面図であり、図２は、実施形態に係る尿取りパッドの包装体１を非肌面側Ｔ２から見た展開平面図である。図３は、尿取りパッドを非肌面側Ｔ２から見た展開平面図である。図１から図３に示す展開平面図は、尿取りパッドを展開した（折り線を基点に折り畳まれていない）展開状態を示している。図４は、図１に示すＡ−Ａ線に沿った断面図であり、図５は、図１に示すＢ−Ｂ線に沿った断面図である。本実施の形態の尿取りパッド１０は、男性用の尿取りパッドであり、下着等の着用物品の内側に装着した状態で使用される。なお、本発明の尿取りパッドは、男性用の尿取りパッドに限られず、女性用の尿取りパッドであってもよい。以下の図面では、尿取りパッドの防漏ギャザーを皺が形成されない状態まで伸長させた伸長状態を示している。また、以下の説明において、構成部材の位置関係及び状態は、特段の記載がない限り、伸長状態における位置関係及び状態である。
【００３４】
尿取りパッドの包装体１は、尿取りパッド１０と、包装シート８０と、剥離シート７０と、を有する。尿取りパッド１０は、互いに直交する前後方向Ｌ及び幅方向Ｗを有する。前後方向Ｌは、身体前側と身体後側とに延びる方向によって規定される。言い換えると、前後方向Ｌは、展開された尿取りパッド１０において前後に延びる方向である。また、尿取りパッド１０は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００３５】
尿取りパッド１０は、使用時に下着等の着用物品に取り付けられる。より詳細には、尿取りパッド１０は、着用物品の前後方向の中心よりも前側に偏倚するように、着用者の股下から前側に向かって配置される。尿取りパッド１０は、男性の排尿口を覆うように装着されてよい。尿取りパッド１０の幅方向Ｗの寸法は、尿取りパッドの前側から後側に向かって漸減しており、尿取りパッドの前後方向の中心線に対して対称であってよい。尿取りパッド１０の前端部の幅方向Ｗの寸法は、尿取りパッド１０の後端部の幅方向Ｗの寸法よりも長くてよい。なお、変形例に係る尿取りパッドは、幅方向Ｗの寸法が尿取りパッドの前側から後側に向かって漸減してなく、尿取りパッドの前後方向の中心線に対して対称であってよい。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００３６】
尿取りパッド１０は、吸収コア１６と、センターシート１１と、防漏ギャザー１４と、裏面シート１５と、粘着部と、を有してよい。吸収コア１６は、例えば粉砕パルプもしくは高吸収性ポリマー（ＳＡＰ）、又はこれらの混合物を含む吸収材料の積層体であってよい。吸収コア１６は、例えば、ティッシュや不織布シートによって構成されたコアラップ１７によって覆われていてもよい。
【００３７】
センターシート１１は、吸収コア１６よりも肌面側Ｔ１において吸収コア１６を覆う。センターシート１１は、少なくとも吸収コア１６の幅方向の中央を覆って入ればよい。センターシート１１は、液透過性のシートであってよい。尿取りパッド１０は、吸収コア１６よりも肌面側Ｔ１において、センターシート１１の側方を覆うサイドシート１２を有してよい。サイドシート１２の内側部は、前後方向に沿って折り線を基点に折り畳まれている。折り畳まれたサイドシート１２間に、前後方向に延びる防漏弾性部材が配置されてよい。サイドシート１２及び防漏弾性部材は、起立性の防漏ギャザー１４を構成する。防漏ギャザー１４は、センターシート１１よりも肌面側Ｔ１に配置されており、前後方向Ｌに収縮する収縮部１３を有する。収縮部１３は、防漏弾性部材が伸長状態でサイドシート１２に固定された部分であり、換言すると、防漏弾性部材の有効長部分である。
【００３８】
裏面シート１５は、吸収コア１６よりも非肌面側Ｔ２に配置されている。裏面シート１５は、液不透過性のシートであってよい。裏面シート１５の非肌面側Ｔ２の面には、尿取りパッド１０の使用時に着用物品に接合される粘着部が配置されてよい。図３は、包装シート８０及び剥離シート７０を取り外した状態の包装体１、すなわち尿取りパッド１０のみを非肌面側Ｔ２から見た平面図である。粘着部は、裏面シート１５よりも非肌面側Ｔ２に配置されていればよい。粘着部は、尿取りパッド１０の幅方向Ｗの中央に配置されたセンター粘着部２１と、センター粘着部２１よりも幅方向Ｗの外側に配置されたサイド粘着部２２と、を有する。センター粘着部２１は、尿取りパッド１０の幅方向Ｗの中央近傍に配置されていればよく、尿取りパッド１０の幅方向の中心１０ＣＷを跨いでいてもよいし、尿取りパッドの幅方向の中心１０ＣＷに重ならないように配置されていてもよい。センター粘着部２１は、前後方向Ｌに延び、尿取りパッド１０の幅方向の中心１０ＣＷを挟んで複数配置されてよい。サイド粘着部２２は、前後方向Ｌに延び、幅方向Ｗに間隔を空けて複数配置されてよい。サイド粘着部２２の前後方向Ｌの長さは、センター粘着部２１の前後方向Ｌの長さよりも短い。後述する包装体の一端側１Ｘにおいて、サイド粘着部２２の少なくとも一部は、防漏ギャザー１４の収縮部１３よりも前後方向Ｌの外側、かつセンター粘着部２１よりも前後方向Ｌの外側に配置されている。
【００３９】
剥離シート７０は、尿取りパッド１０に使用前に粘着部を覆い、粘着部を保護する。剥離シート７０は、センター粘着部２１を覆うセンター剥離シート７１と、サイド粘着部２２を覆うサイド剥離シート７２と、を有してよい。本発明の「剥離シート」は、サイド粘着部２２を覆っていればよく、本実施の形態のサイド剥離シート７２によって構成されている。なお、サイド剥離シート７２とセンター剥離シート７１は、一体化していてもよい。本実施の形態では、センター剥離シート７１とサイド剥離シート７２は、別体によって構成され、幅方向Ｗに間隔を空けて配置されてよい。剥離シート７０は、平面視にて包装シート８０と重なる領域においては、包装シート８０と尿取りパッド１０の間に配置され、平面視にて包装シート８０と重ならない領域においては、尿取りパッド１０よりも非肌面側Ｔ２に位置し、展開状態において露出している。
【００４０】
包装シート８０は、平面視にて尿取りパッドの少なくとも一部に重なってよい。包装シート８０は、尿取りパッド１０よりも非肌面側Ｔ２に配置されている。包装シート８０は、シート接合部を介して剥離シート７０に接合されている。より詳細には、包装シート８０は、センターシート接合部７５を介してセンター剥離シート７１に接合され、サイドシート接合部７６を介してサイド剥離シート７２に接合されている。本発明の「シート接合部」は、サイド粘着部２２を覆うサイド剥離シート７２と包装シート８０を接合しており、本実施形態のサイドシート接合部７６によって構成されている。
【００４１】
次いで、図６に基づいて、尿取りパッドの包装体１の折り畳み状態及び展開状態について説明する。本実施の形態の尿取りパッドの包装体１は、尿取りパッド１０、剥離シート７０及び包装シート８０が共に幅折り線ＦＷ及び前後折り線ＦＬを基点に折り畳まれている。なお、変形例に係る包装体は、少なくとも尿取りパッドが幅折り線を基点に折り畳まれていればよい。幅折り線ＦＷは、幅方向Ｗに延びていればよく、幅方向Ｗに沿っていてもよい。本実施形態の幅折り線ＦＷは、第１幅折り線ＦＷ１と第２幅折り線ＦＷ２を有する。前後折り線ＦＬは、少なくとも前後方向Ｌに延びていればよく、前後方向Ｌに沿っていてもよい。本実施形態の前後折り線ＦＬは、第１幅折り線ＦＷ１と第２幅折り線ＦＷ２を有する。
【００４２】
図６（ａ）は、展開状態の包装体を示している。展開状態における尿取りパッドの包装体１は、包装シート８０上に、剥離シート７０及び尿取りパッド１０が載せられている。包装シート８０の前後方向Ｌの長さは、尿取りパッド１０の前後方向Ｌの長さよりも短い。展開状態において尿取りパッドの包装体１は、包装体１の前後方向Ｌの中心１ＣＬよりも包装体の前後方向の一端側に位置する一端側１Ｘと、包装体１の前後方向の中心１ＣＬよりも包装体の前後方向の他端側に位置する他端側１Ｙと、を有する。本実施の形態の一端側１Ｘは、包装体１の前後方向Ｌの中心１ＣＬよりも前側であり、他端側１Ｙは、包装体１の前後方向Ｌの中心１ＣＬよりも後側である。
【００４３】
包装体１は、展開状態から第１幅折り線ＦＷ１を基点に前後方向Ｌの内側に折り畳まれる。第１幅折り線ＦＷ１は、尿取りパッド１０の肌面側Ｔ１どうしが向き合うように折り畳むための折り線であり、包装体を肌面側から見た状態における谷折り線である。第１幅折り線ＦＷ１は、包装体１の他端側１Ｙに設けられている。図６（ｂ）は、第１幅折り線ＦＷ１を基点に折り畳んだ第１幅折り状態を示している。
【００４４】
包装体１は、第１幅折り状態から第２幅折り線ＦＷ２を基点に前後方向Ｌの内側に折り畳まれる。第２幅折り線ＦＷ２は、第１幅折り線ＦＷ１よりも一端側１Ｘの領域を肌面側どうしが向き合うように折り畳み、第１幅折り線ＦＷ１よりも他端側１Ｙの領域を非肌面側どうしが向き合うように折り畳むための折り線である。第２幅折り線ＦＷ２は、包装体１の一端側１Ｘに設けられている。図６（ｃ）は、第２幅折り線ＦＷ２を基点に折り畳んだ第２幅折り状態を示している。図６（ｆ）は、図６（ｃ）に示すＣ−Ｃ線に沿った断面図である。
【００４５】
包装体１は、第２幅折り状態から第１前後折り線ＦＬ１を基点に幅方向Ｗの内側に折り畳まれる。図６（ｄ）は、第１前後折り線ＦＬ１を基点に折り畳んだ第１前後折り状態を示している。包装体１は、第１前後折り状態から第２前後折り線ＦＬ２を基点に幅方向Ｗの内側に折り畳まれる。図６（ｅ）は、第２前後折り線ＦＬ２を基点に折り畳んだ第２前後折り状態を示している。第２前後折り状態は、尿取りパッド１０及び剥離シート７０が包装シート８０によって個別に包装された個包装状態である。個包装状態において、尿取りパッドの幅方向における包装シートの一端は、テープ部材９０によって包装シート８０の外面に接合されている。
【００４６】
使用者は、尿取りパッド１０を使用する際に、折り畳んだ工程の逆の工程を経て開封する。具体的には、使用者は、個包装状態から第１前後折り状態に展開し、第１前後折り状態から第２幅折り状態に展開し、第２幅折り状態から第１幅折り状態に展開し、第１幅折り状態から展開状態に展開する。展開状態において、包装体１は、幅折り線ＦＷによる折り癖及び前後折り線ＦＬによる折り癖が形成されており、尿取りパッド１０は、尿取りパッド１０を十分に平らな状態に展開することができないことがある。本発明の包装体１は、折り癖が形成された包装体において、装着時に尿取りパッド１０を平らな状態に展開し易いように構成されている。
【００４７】
次いで、尿取りパッド１０の装着時の取り外し態様について説明する。使用者は、尿取りパッドを使用する際に、包装シートによって個別に包装された状態から展開状態に展開しつつ尿取りパッドを包装シートから取り外す。このとき、図７に示すように、使用者は、一般的に、片方の手で包装シート８０を把持すると共に他方の手で尿取りパッド１０を把持した状態で操作を行う。このとき、包装体１の一端側１Ｘには、包装シート８０がサイドシート接合部７６から延出したシート延出領域８１が配置されており、使用者は、一方の手でシート延出領域８１を把持できる。シート延出領域８１は、包装シート８０においてサイドシート接合部７６よりも前後方向Ｌの外側に延出した領域である。また、尿取りパッドの包装体１の他端側には、尿取りパッド１０が包装シートから延出したパッド延出領域１８が配置されており、使用者は、他方の手でパッド延出領域１８を把持できる。パッド延出領域１８は、展開状態の尿取りパッド１０において包装シートよりも前後方向の外側に延出した領域である。また、使用者は、包装体１の幅方向の全体を前後方向Ｌに展開するために、一般的に包装体１の幅方向の中央付近を把持する。
【００４８】
尿取りパッドの包装体の一端側１Ｘでは、使用者が直接尿取りパッド１０を把持していないため、包装シート８０及び剥離シート７０を介して尿取りパッド１０が展開状態に引っ張られる。より詳細には、剥離シート７０に接合している粘着部を介して尿取りパッド１０が引っ張られる。このとき、サイド粘着部２２がセンター粘着部２１よりも前後方向Ｌの外側に位置しているため、尿取りパッド１０の幅方向Ｗの外側部分（サイド粘着部２２が設けられた部分）が、尿取りパッド１０の幅方向の中央（センター粘着部２１が設けられた部分）よりも前後方向Ｌの外側に引っ張られる。そのため、使用者が尿取りパッド１０の幅方向の中央近傍を把持して展開した場合であっても、尿取りパッド１０の幅方向Ｗの側部近傍まで平らな状態に展開でき、尿取りパッド１０の幅方向の側部が内側に折られた状態で着用物品に装着され難くなる。
【００４９】
また、尿取りパッドの包装体の一端側１Ｘでは、サイド粘着部２２は、防漏ギャザー１４の収縮部１３よりも前後方向Ｌの外側に位置するため、収縮部１３の収縮が影響し難い領域においてサイド粘着部２２を介して尿取りパッド１０を展開させる方向に引っ張ることができる。よって、尿取りパッド１０の幅方向Ｗの側部近傍まで展開した状態で着用物品に装着し易くなる。これらにより、装着時に尿取りパッド１０の幅方向Ｗの側部が内側に折られることに起因して、尿取りパッド１０が着用物品から剥がれる不具合を抑制するとともに、着用時に尿取りパッドが内側に折られることによる装着感の悪化を防ぐことができる。
【００５０】
シート延出領域８１の少なくとも一部は、展開状態において、尿取りパッド１０よりも前後方向Ｌの外側に延出してよい。より好適には、シート延出領域８１は、尿取りパッド１０の外端縁よりも前後方向Ｌの外側に位置してよい。使用者が、尿取りパッド１０よりも延出したシート延出領域８１を把持し易い。使用者は、包装シート８０と尿取りパッド１０の両方を把持せずに、包装シート８０のみを把持しやすくなり、１回の操作によって、包装体の展開操作と尿取りパッド１０を取り外す操作をより行い易くなる。
【００５１】
パッド延出領域１８の前後方向の外端部は、幅折り線を基点に折り畳まれた状態で非肌面側に折り返された折り返し領域１９を有してよい。より詳細には、図６（ｂ）に示すように、第２幅折り線ＦＷ２を基点に折り畳まれた第２幅折り状態で、第１幅折り線ＦＷ１によって折り畳まれた領域（展開状態において第１幅折り線ＦＷ１よりも包装体の他端１Ｙ側の領域）は、尿取りパッド１０の非肌面側Ｔ２どうしが向き合うように折り畳まれる。そのため、展開状態において、最も他端１Ｙ側に位置する第２幅折り線ＦＷ２よりも前後方向の外側の領域は、非肌面側Ｔ２に折り返された折り返し領域１９を構成する（図６（ａ）及び（ｆ）参照）。パッド延出領域１８の折り返し領域１９が、折り癖によって非肌面側Ｔ２に立ち上がり易くなる。よって、尿取りパッド１０を取り外す際に、パッド延出領域１８の前後方向Ｌの外端部に位置する折り返し領域１９を使用者が把持することができる。使用者が把持する領域を尿取りパッドの前後方向の外端部に設けることができ、尿取りパッド全体を前後方向Ｌにより展開し易くなる。
【００５２】
尿取りパッドの包装体の一端側１Ｘにおいて、サイド粘着部２２の少なくとも一部は、吸収コア１６よりも前後方向Ｌの外側に配置されてよい。サイド粘着部２２は、吸収コアの外端縁よりも前後方向の外側に配置されていればよく、吸収コアの外端縁を前後方向に跨いでいてもよい。前後方向における吸収コアよりも外側の領域は、吸収コアが配置された領域と比較して剛性が低く、内側に折れ曲がりやすい。当該前後方向における吸収コアよりも外側の領域にサイド粘着部が配置されていることにより、サイド粘着部の剛性によって尿取りパッドが折れ曲がり難くなると共に、サイド粘着部を介して着用物品に接合されることによって尿取りパッド折れ曲がり難くなる。
【００５３】
尿取りパッドの包装体の一端側１Ｘにおいて、サイドシート接合部７６の少なくとも一部は、収縮部１３よりも前後方向Ｌの外側に配置されてよい。尿取りパッドの包装体の一端側１Ｘにおいて、収縮部の収縮が影響し難い領域においてサイド剥離シート７２を介して尿取りパッド１０を引っ張ることができる。よって、尿取りパッドの幅方向の側部近傍まで展開した状態で着用物品に装着し易くなる。
【００５４】
尿取りパッドの包装体の一端側１Ｘにおいて、サイドシート接合部７６の少なくとも一部は、サイド粘着部２２よりも前後方向の外側に配置されてよい。例えば、サイドシート接合部７６がサイド粘着部２２よりも前後方向の内側に位置する構成にあっては、サイド剥離シート７２から尿取りパッド１０に力を伝達する力がかかる点が、包装シート８０からサイド剥離シート７２に力を伝達する点よりも前後方向の内側に位置する。そのため、サイド粘着部２２がサイドシート接合部７６よりも前後方向の外側に延出した部分では、包装シート８０を引っ張った力がサイド剥離シート７２のみに作用し、尿取りパッド１０を前後方向の外側に引っ張ることができないおそれがある。しかし、サイドシート接合部７６がサイド粘着部２２よりも前後方向Ｌの外側に位置するため、使用者が包装シート８０を前後方向Ｌの外側に引っ張った際に、尿取りパッド１０に力がかかり易くなり、尿取りパッド１０をより前後方向の外側に引っ張りやすくなる。
【００５５】
尿取りパッドの包装体の一端側１Ｘにおいて、サイドシート接合部の少なくとも一部は、包装シートの前後方向の中心８０ＣＬに対して前後方向の外側に偏倚してよい。サイドシート接合部は、包装シートの前後方向の中心８０ＣＬを跨いでいてもよいし、包装シートの前後方向の中心８０ＣＬよりも一端側１Ｘのみに配置されてよい。包装シートの前後方向の中心８０ＣＬよりも外側において、包装シートを介して剥離シートを引っ張ることができる。尿取りパッドの前後方向のより端部において、尿取りパッドを展開して平らにすることができ、尿取りパッドをより平らの状態で着用物品に装着し易くなる。
【００５６】
図２に示すように、尿取りパッドの包装体の一端側１Ｘにおいて、サイド粘着部２２と尿取りパッドの外端縁との前後方向の距離ＧＬは、サイド粘着部２２と尿取りパッド１０の外側縁との幅方向Ｗの距離ＧＷよりも短くてよい。サイド粘着部２２と尿取りパッド１０の外端縁との前後方向の距離が比較的短いため、展開時に尿取りパッド１０の外端縁まで平らな状態にし易くなる。よって、尿取りパッド１０の外端縁において尿取りパッド１０が内側に折れる不具合を抑制できる。
【００５７】
尿取りパッド１０の幅方向の寸法は、尿取りパッドの包装体の一端側１Ｘから他端側１Ｙに向かって漸減してよい。尿取りパッド１０の包装体１の一端側１Ｘの幅方向Ｗの長さが長いため、使用者が尿取りパッド１０の幅方向Ｗの中央近傍を把持して展開した際に、尿取りパッド１０の幅方向Ｗの側部近傍まで展開し難いことがある。しかし、本発明によれば、尿取りパッド１０の包装体１の一端側１Ｘにおいて、尿取りパッド１０の幅方向Ｗの側部近傍まで展開し易く、取りパッドの包装体の一端側の幅方向の長さが長い構成であっても、尿取りパッドの幅方向の側部が内側に折られることによる不具合を抑制できる。
【００５８】
収縮部１３の少なくとも一部は、吸収コア１６よりも幅方向Ｗの外側に配置されてよい。吸収コア１６よりも幅方向Ｗの外側の領域は、吸収コア１６が配置された領域と比較して剛性が低く、収縮部１３の収縮に起因して前後方向Ｌに展開し難く平らな状態にし難いことがある。しかし、本発明によれば、尿取りパッド１０の包装体の一端側１Ｘにおいて、尿取りパッド１０の幅方向の側部近傍まで展開し易く、吸収コア１６よりも幅方向の外側に収縮部１３が配置された構成であっても、尿取りパッド１０の幅方向の側部が内側に折られることによる不具合を抑制できる。
【００５９】
収縮部１３と重なる領域及び収縮部１３から前後方向Ｌに延びる領域の少なくとも一方には、サイド粘着部２２が配置されてよい。収縮部１３と重なる領域及び収縮部１３から前後方向Ｌに延びる領域は、収縮部１３の収縮に起因して前後方向Ｌに展開しにくく平らな状態にし難いことがある。しかし、収縮部１３と重なる領域及び収縮部から前後方向Ｌに延びる領域の少なくとも一方にサイド粘着部２２が配置されていることにより、着用時にサイド粘着部２２を介して着用物品に接合されることによって尿取りパッド１０の幅方向の側部が内側に折れ曲がりにくくなる。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６１】
装着時に尿取りパッドの幅方向の側部が内側に折られることを抑制し、漏れの発生及び装着感の悪化を防ぐことができる尿取りパッドの包装体を提供することができる。
【符号の説明】
【００６２】
１：尿取りパッドの包装体
１０：尿取りパッド
１１：センターシート
１２：サイドシート
１３：収縮部
１４：防漏ギャザー
１５：裏面シート
１６：吸収コア
１７：コアラップ
１８：パッド延出領域
１９：折り返し領域
２１：センター粘着部
２２：サイド粘着部
７１：センター剥離シート
７２：サイド剥離シート（剥離シート）
７５：センターシート接合部
７６：サイドシート接合部（シート接合部）
８０：包装シート
８１：シート延出領域
ＦＬ１、ＦＬ２：前後折り線
ＦＷ１、ＦＷ２：幅折り線
【図１】
2020179025.tif 000003
【図２】
2020179025.tif 000004
【図３】
2020179025.tif 000005
【図４】
2020179025.tif 000006
【図５】
2020179025.tif 000007
【図６】
2020179025.tif 000008
【図７】
2020179025.tif 000009